(57)【要約】【課題】ディスプレイIDを設定するためのシステム、装置及び方法を提供する。【解決手段】  ディスプレイIDを設定するためのシステムは、設定ユニット、複数のディスプレイ及び複数のスイッチを備える。ディスプレイは設定ユニットに電気的に接続され、スイッチは、設定ユニットとそれに対応するディスプレイとの間に設けられる。各スイッチは、ディスプレイのうちのいずれか一つに対応し、その対応するディスプレイによってオン又はオフされる。設定ユニットが、設定IDインストラクションを送る際、全てのスイッチは対応するディスプレイによってオンされる。その後、設定ユニットは複数の符号設定インストラクションを送る。各スイッチを順次オフすることにより、対応するディスプレイのIDを、各ID設定インストラクションにより設定することができる。【選択図】図１
2005115367.tif 000002
【特許請求の範囲】
【請求項１】
少なくとも二つのディスプレイにIDを設定する設定ユニットのための装置において、
少なくとも第一スイッチ及び第二スイッチと、第一伝送回線と、第二伝送回線と、第三伝送回線とを備え、
前記第一スイッチは、入力端子、出力端子及びコントロール端子を有し、
前記第二スイッチは、入力端子及びコントロール端子を有し、
前記第一スイッチの前記入力端子は、前記設定ユニットの通信インターフェイス伝送端子に電気的に接続され、
前記第一スイッチの前記出力端子は、前記第二スイッチの前記入力端子に電気的に接続され、
前記第一スイッチ及び第二スイッチの前記コントロール端子は、前記ディスプレイからのコントロール信号を受信するために設けられ、前記スイッチが、前記ディスプレイの前記コントロール端子からの信号を受信した後にオン又はオフされ、
前記第一伝送回線は、前記第一スイッチの前記入力端子、前記ディスプレイの受信端子及び前記設定ユニットの前記伝送端子に電気的に接続され、
前記第二伝送回線は、前記第一スイッチの前記出力端子、前記第二スイッチの前記入力端子及び前記ディスプレイの受信端子に電気的に接続され、
前記第三伝送回線は、前記ディスプレイの伝送端子及び前記設定ユニットの通信インターフェイス受信端子に電気的に接続されていることを特徴とする装置。
【請求項２】
請求項１に記載のディスプレイIDを設定するための装置において、前記設定ユニットはコンピュータであることを特徴とする装置。
【請求項３】
請求項１に記載のディスプレイIDを設定するための装置において、前記ディスプレイの前記通信インターフェイス受信端子及び伝送端子は、それぞれ、RS232受信端子及びRS232伝送端子であることを特徴とする装置。
【請求項４】
請求項１に記載のディスプレイIDを設定するための装置において、前記設定ユニットの前記通信インターフェイスは、それぞれ、RS232受信端子及びRS232伝送端子であることを特徴とする装置。
【請求項５】
ディスプレイIDを設定するためのシステムにおいて、
設定ユニットと、少なくとも二つのディスプレイと、少なくとも二つのスイッチと、第一伝送回線と、第二伝送回線と、第三伝送回線とを備え、
前記設定ユニットは、伝送端子及び受信端子を有し、
前記ディスプレイの各ディスプレイは、コントロール端子と、マイクロプロセッサと、伝送端子及び受信端子を有する通信インターフェイイスとを備え、
前記マイクロプロセッサには、前記伝送端子、前記受信端子、前記コントロール端子及びメモリーが電気的に接続され、
前記スイッチは、前記ディスプレイからのコントロール信号を受信し、該コントロール信号の受信によりオン又はオフされ、
前記第一伝送回線は、第一スイッチの入力端子、前記ディスプレイの前記受信端子及び前記設定ユニットの前記伝送端子に電気的に接続され、
前記第二伝送回線は、前記第一スイッチの出力端子、第二スイッチの入力端子及び前記ディスプレイの前記受信端子に電気的に接続され、
前記第三伝送回線は、前記ディスプレイの前記伝送端子及び前記設定ユニットの前記受信端子に電気的に接続されることを特徴とするシステム。
【請求項６】
請求項５に記載のディスプレイIDを設定するためのシステムにおいて、
前記スイッチは、少なくとも第一スイッチ及び第二スイッチを備え、
該第一スイッチ及び第二スイッチは、それぞれ、入力端子、出力端子及びコントロール端子を備え、
前記第一スイッチの前記入力端子は、前記設定ユニットの前記伝送端子に電気的に接続され、前記第一スイッチの前記出力端子は、前記第二スイッチの前記入力端子に電気的に接続され、
前記コントロール端子は、前記ディスプレイの前記コントロール端子からの受信信号に応じて前記第一スイッチ及び第二スイッチをオン又はオフする前記ディスプレイからのコントロール信号を受信するように設定されていることを特徴とするシステム。
【請求項７】
請求項５に記載のディスプレイIDを設定するためのシステムにおいて、前記設定ユニットは、コンピュータであることを特徴とするシステム。
【請求項８】
請求項５に記載のディスプレイIDを設定するためのシステムにおいて、各ディスプレイの前記通信インターフェイスは、RS232であることを特徴とするシステム。
【請求項９】
請求項５に記載のディスプレイIDを設定するためのシステムにおいて、前記設定ユニットの前記通信インターフェイスは、RS232であることを特徴とするシステム。
【請求項１０】
ディスプレイIDを設定するためのシステムにおいて、
設定ユニットと、
前記設定ユニットに電気的に接続された複数のディスプレイと、
前記設定ユニットと前記ディスプレイとの間に設けられる複数のスイッチであり、各スイッチは、前記ディスプレイのいずれか一つに対応し、その対応するディスプレイによってオン又はオフされる複数のスイッチとを備え、
前記設定ユニットが、設定IDインストラクションを送る時、各スイッチは、対応するディスプレイによりオンされ、その後前記設定ユニットは、複数の符号設定インストラクションを送り、
順次、各スイッチをオフすることにより前記ディスプレイに応じたIDが、各ID設定インストラクションにより設定されることを特徴とするシステム。
【請求項１１】
請求項10に記載のディスプレイID設定システムにおいて、前記設定ユニットは、前記ID設定インストラクションを送ると、設定された各ディスプレイによる応答信号に基づき次のID設定インストラクションを送ることを特徴とするシステム。
【請求項１２】
請求項10に記載のディスプレイID設定システムにおいて、各ディスプレイは、前のディスプレイのID設定が完了し、前記前のディスプレイに応じたスイッチがオフされるまで前記設定ユニットに電気的に接続されず、
前記設定ユニットは、次のディスプレイのIDを設定するために、前記設定ユニットにより設定が完了したことを示す応答信号を受信した後にのみ次のディスプレイに応じたID設定インストラクションを送ることを特徴とするシステム。
【請求項１３】
請求項10に記載のディスプレイID設定システムにおいて、前記設定ユニットは、それぞれ第一伝送回線及び第二伝送回線を介して各ディスプレイ内のマイクロプロセッサの受信端子及び伝送端子に電気的に接続される伝送端子及び送信端子を備え、前記スイッチは、第一伝送回線に設けられていることを特徴とするシステム。
【請求項１４】
請求項10に記載のディスプレイID設定システムにおいて、前記ディスプレイの間で、第一ディスプレイの前記受信端子及び前記伝送端子は、それぞれ、前記第一伝送回線及び前記第二伝送回線を経て前記設定ユニットの前記伝送端子及び前記受信端子に電気的に接続され、第二ディスプレイの前記受信端子は、前記第一ディスプレイに応じた前記第1スイッチングユニットを経て前記設定ユニットの前記伝送端子に電気的に接続されることを特徴とするシステム。
【請求項１５】
請求項10に記載のディスプレイID設定システムにおいて、各ディスプレイは、IDを保存するためのメモリーを備えることを特徴とするシステム。
【請求項１６】
少なくとも設定ユニットと、第一ディスプレイと、第二ディスプレイと、第一スイッチと、第二スイッチとを備え、前記第一ディスプレイは、前記設定ユニットに電気的に接続され、前記第二ディスプレイは、前記第一スイッチを介して前記設定ユニットに電気的に接続される装置を用いたディスプレイIDを設定するための方法において、
全てのスイッチをオンし、
全てのマイクロプロセッサは、前記設定ユニットから設定IDインストラクションを受信し、
全てのディスプレイは、ID設定モードへ変わり、前記全てのスイッチをオフするよう制御し、
第一IDマイクロプロセッサは、前記第一ディスプレイのメモリー内にIDを保存し、
第一マイクロプロセッサは、前記ID設定モードを中止し、通常運転モードに戻し、
第二ディスプレイは、前記設定ユニットから第二ID情報を受信し、
第二IDマイクロプロセッサは、前記第二ディスプレイのメモリー内にIDを保存することを特徴とする方法。
【請求項１７】
請求項16に記載の方法において、前記第一マイクロプロセッサが前記ID設定モードを中止し、前記通常の運転モードに戻った後、前記第 一マイクロプロセッサは、前記設定ユニットに信号を送ることを特徴とする方法。
【発明の詳細な説明】
【技術分野】
【０００１】
本発明は、ディスプレイの符号（ID）を設定するためのシステム、装置及び方法に関し、特に、TV壁を形成する複数のディスプレイの符号を設定するためのシステム、装置及び方法に関する。
【背景技術】
【０００２】
新しい技術の進歩、発展に伴い、異なる種類の広告が頻繁に更新されている。ディスプレイは、その関連分野で一般的に利用される装置である。複数のディスプレイを結合して一つの大きなスクリーンTV壁を形成することによって、通常のディスプレイにもともと表示されたイメージを複数のイメージに分割し、その後、これらの各イメージを、TV壁を構成する各ディスプレイに表示することにより、このTV壁に表示されるイメージが一つの大きなイメージのスクリーンTVとして見えるようにする。従って、TV壁を構成する各ディスプレイは、独自の符号（以下、IDと略す。）を備えていなければならず、これにより、固有のディスプレイに関連する画像信号を考慮してイメージを伝送することができ、そして、TV壁は、全ての固有のイメージを受信した後、それらイメージを一つの大きなイメージとして表示することができる。TV壁を構築する際又はその他の目的の際に実際の要求に基づいてディスプレイの数を便利に増減させるために、各ディスプレイのIDコードは、ディスプレイが製造されるときに同一のコード又は空のコードとして設定される。しかしながら、この制限があるため、ディスプレイIDを設定するための方法が、TV壁を構築する際の重要な課題となっている。
【発明の開示】
【発明が解決しようとする課題】
【０００３】
従来技術では、数個のディスプレイのそれぞれに互いに異なるIDを設定するために、まず、コンピュータをディスプレイのうちの一つに電気的に接続し、設定が完了した後、コンピュータとディスプレイとをつなぐケーブルを抜き、そのケーブルを別のディスプレイの接続ポートに差し込むことにより該ディスプレイとコンピュータとをつなぎ、その後、残りのディスプレイへのケーブルの抜き差しを繰り返し行う。従って、TV壁が数個のディスプレイから構成されていると、ケーブルの差し込み及び引き抜き工程が複雑となる。この為、この工程は、大きな労力を必要とし、また、時間もかかる。
【０００４】
要約すると、数個のディスプレイに異なるIDを設定するための方法は、次の点で不利益である。(1)従来の方法は、コンピュータとディスプレイをつなぐ接続ケーブルを繰り返し差し込み、引き抜く必要があるため、時間がかかり、作業が困難になる。
【０００５】
従って、本発明は、ディスプレイのIDを設定するためのシステム、装置及び方法に関するものである。本発明の実施態様によると、設定ユニットとディスプレイとを接続する接続ライン又はケーブルの抜き差しを繰り返し行うことなく、TV壁を構成するディスプレイの各IDを順次設定することができる。
【課題を解決するための手段】
【０００６】
本発明の実施態様によると、各ディスプレイに電気的に接続されたスイッチは、TV壁を構成する各ディスプレイに対し順次IDの設定を行うために使用される。
【０００７】
本発明の実施態様によると、システムは、設定ユニット、複数のディスプレイ及び複数のスイッチを備える。複数のディスプレイは、設定ユニットに電気的に接続され、スイッチは、設定ユニットと設定ユニットに対応するディスプレイとの間に設けられる。各スイッチは、ディスプレイのうちのそれぞれの一つに対応し、各スイッチは、その対応するディスプレイによってオン又はオフされる。まず、全てのスイッチは、対応するディスプレイによりオンされる。次に、全てのマイクロプロセッサが、設定ユニットから設定IDインストラクションをそれぞれ受信する。次に、全てのディスプレイは、ID設定モードに変わり、全てのスイッチをオフするように制御する。第一ディスプレイは、設定ユニットから第一ID情報を受信する。第一IDマイクロプロセッサは、IDをメモリーに保存する。第一マイクロプロセッサは、ID設定モードを終了し、通常の操作モードに戻る。その後、第一マイクロプロセッサは、第一スイッチがオンするように、コントロール信号を送る。第一マイクロプロセッサは、設定完了を示す信号を設定ユニットに返信する。
【０００８】
上述したように、本発明の実施態様によると、設定ユニットが返信信号を受信すると、次の設定IDインストラクションが次のディスプレイに送られる。
【０００９】
上述したように、本発明の実施態様によると、設定ユニットは、CPUと、メモリーと、伝送端子及び受信端子を有する通信インターフェイスとを備え、通信インターフェイスの伝送端末及び受信端末は、それぞれ伝送回線Tx及び第二伝送回線Rxを介して各ディスプレイのマイクロプロセッサの受信端子及び伝送端子に電気的に接続される。
【００１０】
上述したように、本発明の実施態様によると、第一ディスプレイにおいて、受信端子及び伝送端子は、それぞれ伝送回線Tx及び伝送回線Rxを介して設定ユニットの通信インターフェイスの伝送端子及び受信端子に電気的に接続される。更に、第二ディスプレイにおいて、通信インターフェイスの受信端子は、第一ディスプレイに対応する第一スイッチングユニットを介して設定ユニットの伝送端子に電気的に接続される。
【００１１】
上述したように、本発明の実施態様によると、各ディスプレイは、そのIDを保存するためのメモリーを備える。
【００１２】
上述したように、本発明の実施態様によると、ディスプレイIDを設定するためのシステムが設けられ、設定ユニットは、ID設定機能を行なうために設けられる。ディスプレイは、設定ユニットに電気的に接続され、スイッチは、設定ユニットと対応するディスプレイとの間に設けられる。各スイッチは、それぞれディスプレイのうちの一つに対応しており、その対応するディスプレイにより各スイッチをオン又はオフすることができる。
【００１３】
上記システムにおいて、設定ユニットが設定IDインストラクションを送ると、次の設定IDインストラクションは、設定されたディスプレイからの返信信号に応じて送られる。
【００１４】
上記システムにおいて、各ディスプレイは、前のディスプレイのID設定が完了し、前のディスプレイに対応するスイッチがオフされるまで、設定ユニットに電気的に接続されない。
【００１５】
上記システムにおいて、各ディスプレイは、例えばそのIDを保存するためのメモリーを備える。
【００１６】
上記システムにおいて、スイッチは、例えば電気スイッチである。
【００１７】
上記システムにおいて、設定ユニットは、例えばコンピュータ又はポータブルコンピュータである。
【００１８】
又、本発明は、ディスプレイIDを設定するための方法に関すものである。本実施例において、設定システムは、ディスプレイID設定機能を行なうために使用され、設定ユニット、第一ディスプレイ、第二ディスプレイ、第一スイッチ及び第二スイッチを備える。本発明の実施態様によると、ディスプレイIDを設定する方法において、まず、全てのスイッチが対応するディスプレイによりオンされる。次に、全てのマイクロプロセッサは、設定ユニットから設定IDインストラクションを受信する。次に、全てのディスプレイは、ID設定モードに変わり、全てのスイッチをオフするよう制御する。第一ディスプレイは、設定ユニットから第一ID情報を受信する。第一IDマイクロプロセッサは、IDをメモリーに保存する。第一マイクロプロセッサは、ID設定モードを終了し、通常の操作モードに戻る。その後、第一マイクロプロセッサは、第一スイッチをオンするようにコントロール信号を送る。第一マイクロプロセッサは、設定完了を示す信号を設定ユニットに返信する。
【００１９】
設定ユニットは、第二設定IDインストラクションを第二ディスプレイに送る。第二ディスプレイは、設定ユニットから第二ID情報を受信する。第二IDマイクロプロセッサは、IDをメモリーに保存する。第2マイクロプロセッサは、ID設定モードを終了し、通常の操作モードに戻る。
【発明を実施するための最良の形態】
【００２０】
(実施例)
本発明は、複数のディスプレイで構成されるTV壁に適するディスプレイIDを設定するためのシステム及び装置を提供する。本発明において、設定ユニットと各ディスプレイの接続ポートとをつなぐ接続ライン又はケーブルを繰り返し抜き差しすることなく、ディスプレイの独自のIDをコンピュータ等の設定ユニットを用いて直接設定することができる。同様に、各ディスプレイの接続ポートに設定ユニットを繰り返し接続したりその接続を切断したりせずに、TV壁を構成するディスプレイの全てのIDを設定することができる。
【００２１】
図1は、本発明の実施態様によるディスプレイIDを設定するためのシステムの設定ユニットの回路ブロック図を示す。本実施態様では、ディスプレイは、ディスプレイIDを設定するためのシステム100内の設定ユニット110により設定される。設定ユニット110は、CPU1102、メモリー1104及び通信インターフェイス116を備える。通信インターフェイス116は、それぞれ情報を送受信するための伝送端子112及び受信端子114を備える。設定ユニット110から送信されたID情報は、通信インターフェイス116を介してディスプレイに入力される。本実施態様では、通信インターフェイス116は、RS232で構成されており、通信インターフェイス116の伝送端子112及び受信端子114は、それぞれRS232伝送端子及びRS232受信端子で構成されている。更に、設定ユニット110は、PC（パーソナルコンピュータ）、ラップトップコンピュータ又は当業者にとって周知である制御及び演算機能を実施可能なプロセッサを有する機器で構成されていればよい。しかしながら、設定ユニットは、それらに限定されない。本実施態様では、ディスプレイIDを設定するためのシステム100は、複数のディスプレイ120、130、140及び150を備える。システム100に含まれるディスプレイの数は、物理的なデザイン及び要件によって定められる。4つのディスプレイからなるTV壁は、本発明を記述するために以下に例示されている。しかしながら、本発明の範囲は、それに限定される必要はない。
【００２２】
本実施態様では、ディスプレイIDを設定するためのシステム100をつなぐために、2つのグループの伝送回線Tx及びRxが使用される。そのシステム（例えばTV壁）を構築する際、伝送回線Txの第一セクションは、設定ユニット110の伝送端子112、ディスプレイ120の受信端子126及びスイッチ124の入力端子124Aに電気的に接続される。
【００２３】
伝送回線Txの第二セクションは、スイッチ124の出力端子124B、ディスプレイ130の受信端子136及びスイッチ134の入力端子134Aに電気的に接続される。
【００２４】
伝送回線Txの第三セクションは、スイッチ134の出力端子134B、ディスプレイ140の受信端子146及びスイッチ144の入力端子144Aに電気的に接続される。
【００２５】
伝送回線Txの第四セクションは、スイッチ144の出力端子144B、ディスプレイ150の受信端子156、スイッチ154の入力端子154Aに電気的に接続される。
【００２６】
伝送回線Rxは、設定ユニット110の受信端子114及び各ディスプレイ120、130、140、150のそれぞれの伝送端子127、137、147、157に電気的に接続される。このような伝送端末と受信端末との電気的接続により、指示又情報を伝送することができる。当業界で現在通常に使用されているRS232伝送回線等の共通の伝送プロトコルに応じた接続ポートは、設定ユニット及びディスプレイのそれぞれの伝送端末及び受信端末の間の通信に二つの伝送回線Tx及びRxにより利用される。また、他の伝送プロトコルに応じた伝送回線も実際の要求を考慮しながら本発明に適応することができる。図1に示すように、設定ユニット110の通信インターフェイスの伝送端末及び受信端末は、それぞれRS232通信インターフェイス128、138、148、158を介してディスプレイ120、130、140、150の受信端末及び伝送端末に電気的に接続されている。
【００２７】
更に、伝送回線Txは、スイッチ134の出力端子134Bと、受信端子146と、スイッチ144の入力端子144Aとに接続されている。伝送回線Txは、スイッチ144の出力端子144Bと、受信端子156と、スイッチ154の入力端子154Aとに接続される。更に、複数のコントロールライン122A、132A、142A、152Aは、マイクロプロセッサ122、132、142、152とコントロール端末125、135、145、155とにそれぞれ電気的に接続されている。マイクロプロセッサ122、132、142、152は、スイッチ124、134、144、154のオン又はオフを制御する。ここで、スイッチは、例えば電気スイッチで構成されており、全てのスイッチは、スイッチング操作に必要とされる電力のための電源に接続されている。
【００２８】
ここでは、本実施態様のID設定操作の説明を簡単にするために、設定ユニット110とディスプレイ120、130との間の接続のみを説明する。TV壁100を構成するディスプレイ140、150等の残りのディスプレイのための設定方法は、同様であるため、ここでは詳細な説明は省略されている。
【００２９】
先ず、全てのスイッチは、それぞれに対応するディスプレイによりオンされる。設定ユニット110は、通信インターフェイス116の伝送端末112及び伝送回線Txを介して全てのディスプレイ120、130、140、150に設定IDインストラクションを送る。
【００３０】
本実施態様では、スイッチ124は、入力端子124A、出力端子124B及びコントロール端子125を備える。入力端子124Aは、設定ユニット110の伝送端子112に電気的に接続されており、出力端子124Bに選択的に接続される。この選択的な接続／スイッチングは、ディスプレイ120内のマイクロプロセッサ122により制御されている。更に、スイッチ134は、入力端子134A及び出力端子134Bを備える。スイッチ134の入力端子134Aは、第一スイッチ124の出力端子124Bに電気的に接続されており、出力端子134Bに選択的に接続される。同様に、この選択的な接続／スイッチングは、ディスプレイ130内のマイクロプロセッサ132により制御されている。
【００３１】
図2A及び図2Bは、本発明の実施態様によるディスプレイIDを設定するためのシステムにおける第一スイッチの操作モードを示す概略図である。本実施態様では、スイッチの数にかかわらず、操作はスイッチ124と同様である。従って、ここではスイッチ124のみが例示されている。本実施例では、図2Aに示すように、スイッチ124の入力端子124Aは、出力端子124Bに電気的に接続されており、スイッチ134の入力端子134Aは、出力端子134Bに電気的に接続されている。即ち、設定ユニット110は、伝送回線Txを介して全てのディスプレイに情報を送信することができる。特に、設定装置110のCPU1102（中央演算処理装置）は、通信インターフェイスを介して通信インターフェイス116の伝送端子112から伝送回線Txを介して、全てのディスプレイに設定IDインストラクション等のID情報を送信する。各ディスプレイは、設定IDインストラクションを受信すると、ID設定モードに変わり、全てのスイッチをオフするように制御する。
【００３２】
ディスプレイがID設定モードに切り替えられた後、スイッチ124のオープン回路のため、入力端子124A及び出力端子124Bは、図2Bに示すように、互いに電気的に接続されず、入力端子134A及び出力端子も互いに電気的に接続されない。一方、全てのスイッチは、オープン回路であり、すなわち、スイッチ内の接触ポイントは互いに電気的に接触されていないことから、ディスプレイ120はID情報に含まれるIDのみを受信でき、そのIDはディスプレイ120に指定される。本発明の実施態様では、IDをディスプレイ120内のメモリー121に保存することができる。メモリー120を、IDを永久的に保存できるような不揮発性のメモリーで構成することができる。
【００３３】
本実施態様では、ディスプレイ120は、マイクロプロセッサ122と、メモリー121と、伝送端子127及び受信端子126を有する通信インターフェイス128とを備える。伝送端子127は、伝送回線Rxを介して設定ユニット110の通信インターフェイス116の受信端子114に電気的に接続されている。受信端子126は、設定ユニット110の通信インターフェイス116の伝送端子112に電気的に接続されている。まず、マイクロプロセッサ122が、受信端子126及び伝送回線Txを経て設定ユニット110から設定IDインストラクションを受信すると、コントロール信号は、スイッチ124をオフするようにコントロールライン122Aを介してスイッチ124のコントロール端子125に送信される。
【００３４】
マイクロプロセッサ122は、送信されたID情報によりディスプレイ120のメモリー121にこのIDを指定する。設定が終了した後、返信信号が伝送端子127を介してマイクロプロセッサ122から送られ、操作モードは通常操作モードに切り替えられる。一方、スイッチ124をオンするようにコントロール信号がコントロールライン122Aを介してスイッチ124のコントロール端子125に送信される。すなわち、入力端子124A及び出力端子124Bは、もとの非接続状態から互いに電気的に接続される。第1マイクロプロセッサ122は、設定ユニット110に設定終了を示す信号を返信する。
【００３５】
また、本発明の実施態様によれば、ディスプレイ130内のマイクロプロセッサ132は、伝送端子137及び受信端子136を備える。伝送端子137は、伝送回線Rxを介して設定ユニット110の受信端子114に電気的に接続される。受信端子136は、スイッチ124を介して設定ユニット110の伝送端子112に電気的に接続される。
【００３６】
設定ユニット110は、マイクロプロセッサ122から信号を受信すると、次に、別のID情報をディスプレイ130に送る。
【００３７】
マイクロプロセッサ132は、ディスプレイ130のID情報を受信する。すなわち、マイクロプロセッサ132は、例えばディスプレイ130内のメモリー131に保存するために、受信されたIDからディスプレイ130のIDを指定する。設定が終了した後、通信インターフェイス138及び伝送端子137を介してマイクロプロセッサ132から設定ユニット110に操作モードが通常操作モードに戻るように返信信号が送信される。一方、コントロール信号は、スイッチ134をオンするようにコントロールライン132Aを介してスイッチ134のコントロール端子135に送信され、その間、入力端子134A及び出力端子134Bは、もとの非接続状態から互いに電気的に接続される。
【００３８】
これにより、伝送回線Tx及びRｘに加え、通信インターフェイス116を介して設定ユニット110を用いて2つのディスプレイ（他のディスプレイを上記のように実施することができる。）に順次設定することができる。例えば、まず設定ユニット110は、ディスプレイ120のIDを設定し、その後、ディスプレイ130のIDを設定し、続けて、ディスプレイ140、150及び残りのTV壁100のディスプレイのIDを設定する。本発明の実施態様では、IDは、ディスプレイ内のメモリー121、131、141、151にそれぞれ保存される。スイッチを使用することにより、所望のディスプレイがそれ以外のディスプレイからインストラクションを受信することを防止することができる。
【００３９】
図3は、本発明の実施態様によるディスプレイのためのIDを設定する方法を示すフローチャートである。
【００４０】
本発明の実施態様によれば、ディスプレイを設定する前に、全てのスイッチがオンされる（ステップS302）。次に、全てのマイクロプロセッサは、設定ユニットから設定IDインストラクションを受信する（ステップS304）。次に、全てのディスプレイは、ID設定モードに変わり、全てのスイッチをオフするように制御する（ステップS306）。第一ディスプレイは、設定ユニットから第一ID情報を受信する（ステップS308）。第一IDマイクロプロセッサは、メモリーにIDを保存する（ステップS310）。第一マイクロプロセッサは、ID設定モードを終了し、通常の操作モードに戻る（ステップS312）。その後、第一マイクロプロセッサは、第一スイッチをオンするためのコントロール信号を送信する（ステップS314）。第一マイクロプロセッサは、設定ユニットに設定終了を示す信号を返信する（ステップS316）。
【００４１】
設定ユニットは、返信信号を受信した後、図1に示すように、第二ID情報を第二ディスプレイに再び送る。従って、設定ユニットは、全てのディスプレイにそれぞれのIDが設定されるまで、全てのディスプレイにIDを順次設定する。
【００４２】
要約すると、本発明に係るディスプレイIDを設定するシステム、装置及び方法は、少なくとも以下の利点を有する。
（1）本発明に係るディスプレイIDを設定するシステム、装置及び方法を適用することにより、接続ケーブルを介して設定ユニットと各ディスプレイの接続ポートとをつなぐ接続ケーブルを繰り返し抜き差しすることによる作業時間及び労働力の増大を解消することができる。
（2）本発明に係るディスプレイIDを設定するシステム、装置及び方法によれば、コンピュータが各ディスプレイにIDを任意に指定することができ、効果的な方法で更新を実行することができる。
【００４３】
本発明は、特定の実施例を参照し説明されたが、上記の実施例の変形が本発明の精神を逸脱しない範囲で行なわれることは、当業者にとって自明である。従って、本発明の範囲は、添付されたクレームによって定義され、上記実施例によっては定義されない。
【図面の簡単な説明】
【００４４】
添付図面は、本発明を更に理解するために含め、本明細書の一部に組み込み、その一部を構成するものである。添付図面は、説明と共に本発明の実施態様を示しており、明細書と共に本発明の原理を説明するために利用する。
【図１】本発明の実施態様によるディスプレイIDを設定するためのシステムにおける設定装置の回路ブロック図を模式的に示す図である。
【図２Ａ】図2Aは、本発明の実施態様によるディスプレイIDを設定するためのシステムにおける第一スイッチのオペレーションモードを示す模式図である。
【図２Ｂ】図2Bは、本発明の実施態様によるディスプレイIDを設定するためのシステムにおける第一スイッチのオペレーションモードを示す模式図である。
【図３】図3は、本発明の実施態様によるディスプレイIDを設定するための方法を模式的に示すフローチャートである。
【図１】
2005115367.tif 000003
【図２Ａ】
2005115367.tif 000004
【図２Ｂ】
2005115367.tif 000005
【手続補正書】
【提出日】平成16年11月19日(2004.11.19)
【手続補正１】
【補正対象書類名】図面
【補正対象項目名】図３
【補正方法】追加
【補正の内容】
【図３】
2005115367.tif 000006
【外国語明細書】
Title of the Invention
SYSTEM, APPARATUS AND METHOD FOR CONFIGURING IDENTIFICATION OF A DISPLAY 
Detailed Description of the Invention
BACKGROUND OF THE INVENTION
Field of the Invention
[0001]  The present invention relates to a system, an apparatus and a method for configuring identification (ID) of a display, and more particularly, to a system, an apparatus, and a method for configuring identification for a plurality of displays forming a TV wall. 
Description of Related Art
[0002]  With the progressive advancement of new technologies, different types of advertisement are frequently renewed.  Wherein, the display is a commonly used device in the related fields.  By combining multiple displays to form a single large screen TV wall, an image originally displayed on a general display is divided into a couple of images, and each of these images is then displayed on each of the displays composing the TV wall, such that the TV wall looks like a large screen TV.  Therefore, each display composing the TV wall must have a unique identification (abbreviated as ID hereinafter), thus the image can be transmitted in considering the image signal related to specific display, and the TV wall can show them into a large image after receiving all specific images.  In order to conveniently extend or reduce the quantity of the displays based on the real requirement when building up the TV wall or other purposes, the ID code of the displays are configured as the same code or an empty code when they are being manufactured.  However, because of this limitation, the method for configuring a display ID has become a signification topic in building up the TV wall.
[0003]  In the conventional art, in order to configure different IDs for several displays, the computer is electrically coupled to one of the displays first, and after the configuration is completed, to unplug the cable connecting the computer and the display and to plug the cable connecting the computer and the connection port of another display, and repeatedly unplug and plug other displays.  Thus, if the TV wall is composed of several displays, the process of plugging in and unplugging the cable is elaborate.  Accordingly, this requires great efforts and is also time consuming.
[0004]  In summary, the method for configuring different IDs to several displays has following disadvantages: (1) the conventional method requires repeatedly plugging in and unplugging of the connection cable connecting the computer and the displays, and which is no doubt a time consuming and laborious work. 
SUMMARY OF THE INVENTION
[0005]  Accordingly, the present invention is directed to a system, an apparatus and a method for configuring an ID of a display.  According to an embodiment of the present invention, each ID of the displays composing the TV wall can be sequentially configured without repeatedly plugging in and unplugging the connection line or cable to the setting unit and the displays.
[0006]  According to an embodiment of the present invention, the switch electrically coupled to each display is utilized to sequentially configure an ID to each displays for composing the TV wall.
[0007] According to an embodiment of the present invention, the system comprises a setting unit, a plurality of displays and a plurality of switches.  The displays are electrically coupled to the setting unit, and the switches are configured in between the setting unit and its corresponding display, wherein each of the switches corresponds to one of the displays and can be turned on or turned off by its corresponding display. Initially, all of the switches are all turned on by its corresponding displays.  Next, all microprocessors receive the setting ID instruction from the setting unit.  Next, all displays change to ID setting mode and control all switches turn off.  The first display receives first ID information from the setting unit.  The first ID microprocessor stores the ID in a memory.  The first microprocessor quits the ID setting mode and back to normal operation mode.  Then, the first microprocessor issues a control signal to turn on the first switch.  The first microprocessor replies a signal indicating the setting is completed to the setting unit.
[0008]  According to the embodiment of the present invention described above, when the setting unit received  the replied signal , a subsequent setting ID instruction is issued to next display.
[0009]  According to the embodiment of the present invention described above, the setting unit comprises a CPU, a memory and a communication interface including a transmitting terminal and a receiving terminal, which are electrically coupled to a receiving terminal and a transmitting terminal of a microprocessor in each display via  transmission lines Txand second transmission lines Rx, respectively.  
[0010]  According to the embodiment of the present invention described above, for first display, a receiving terminal and a transmitting terminal are electrically coupled to the transmitting terminal and the receiving terminal of the communication interface of the setting unit via transmission lines Tx and transmission lines Rx, respectively.  In addition, for second display, a receiving terminal of the communication interface is electrically coupled to the transmission terminal of the setting unit via a first switching unit corresponding to the first display.
[0011]  According to the embodiment of the present invention described above, each display comprises a memory for storing its ID.
[0012]  According to the embodiment of the present invention described above, a system for configuring a display ID is provided and a setting unit is adapted for performing the ID configuration function.  Wherein, the displays are electrically coupled to the setting unit, and the switches are configured in between the setting unit and its corresponding display.  Each of the switches corresponds to one of the displays respectively, which can be turned on or turned off by its corresponding display.
[0013]  In the system mentioned above, when the setting unit issues the setting ID instructions, a subsequent setting ID instruction is issued according to a reply signal sent back by the  configured display.
[0014]  In the system mentioned above, each display is not electrically coupled to the setting unit until the ID configuration of the previous display is completed and the previous switch corresponding to the previous display had been turned off. 
[0015]  In the system mentioned above, each display comprises, for example, a memory for storing its ID.
[0016]  In the system mentioned above, the switch is, for example, an electronic switch.
[0017]  In the system mentioned above, the setting unit is, for example, a computer or a portable computer.
[0018]  The present invention is also directed to a method of configuring a display ID.  In this embodiment, a setting system is used to perform the display ID configuration function, wherein the setting system comprises a setting unit, a first display, a second display, a first switch and a second switch.    In method of configuring a display ID, according to an embodiment of the present invention, initially, all of the switches are all turned on by its corresponding displays.  Next, all microprocessors receive the setting ID instruction from the setting unit.  Next, all displays change to ID setting mode and control all switches turn off.  The first display receives first ID information from the setting unit.  The first ID microprocessor stores the ID in a memory.  The first microprocessor quits the ID setting mode and back to normal operation mode.  Then, the first microprocessor issues a control signal to turn on the first switch.  The first microprocessor replies a signal indicating the setting is completed to the setting unit.  
[0019]  The setting unit issues a second setting ID instruction to the second display. The second display receives second ID information from the setting unit.  The second ID microprocessor stores the ID in a memory.  The second microprocessor quits the ID setting mode and back to normal operation mode.
DESCRIPTION OF EMBODIMENTS
[0020]  The present invention provides a system and an apparatus for configuration a display ID, suitable for a TV wall composed of a plurality of displays.  In the present invention, the unique ID of the display can be directly configured by using a setting unit, such as a computer, without repeatedly plugging in and unplugging the connection lines or cables connecting the setting unit and the connection port of each display.   Likewise, all IDs of the displays composing the TV wall can be configured without repeatedly connecting and disconnecting the setting unit with the connection port of each display.
[0021]  Referring to FIG. 1, a circuit block diagram of a setting unit of the system for configuring a display ID according to an embodiment of the present invention is shown.  In the present embodiment, the displays are configured by a setting unit 110 inside a system 100 for configuring display IDs.  Wherein, the setting unit 110 comprises a CPU 1102, a memory 1104 and a communication interface 116, wherein the communication interface 116 includes a transmission terminal 112 and a receiving terminal 114 for transmitting and receiving information, respectively. ID information sent from the setting unit 110 is inputted into the displays through the communication interface 116. In the present embodiment, the communication interface 116 are a RS232 and the transmission terminal 112 and the receiving terminal 114 of the communication interface 116 are a RS232 transmission terminal and a RS232 receiving terminal, respectively.  In addition, the setting unit 110 may be a PC (Personal Computer), a laptop computer, or any equipment having a processor capable of performing control and calculation functions well known to one of the ordinary skill in the art.  However, it is not necessarily limited thereto.  In this embodiment, the system for configuring the display ID 100 comprises a plurality of displays 120, 130, 140 and 150.  Wherein, the quantity of the displays included in the system 100 depends on the physical design and requirements.  A TV wall composed of four displays is exemplified hereinafter for describing the present invention.  However, the scope of the present invention is not necessarily limited thereto.
[0022]  In the present embodiment, two groups of transmission lines Tx and Rx are used in connecting the system for configuring the display ID 100.  When building up the system (e.g. the TV wall), the first section of the transmission lines Txare electrically coupled to a transmission terminal 112 of the setting unit 110, the receiving terminals 126 of display 120 and the input terminal 124A of the switch 124.
[0023]  The second section of the transmission lines Tx are electrically coupled to the output terminal 124B of the switch 124, the receiving terminals 136 of display 130 and the input terminal 134A of the switch 134.
[0024]  The third section of the transmission lines Tx are electrically coupled to the output terminal 134B of the switch 134, the receiving terminals 146 of display 140 and the input terminal 144A of the switch 144.
[0025]  The fourth section of the transmission lines Tx are electrically coupled to the output terminal 144B of the switch 144, the receiving terminals 156 of display 150 and the input terminal 154A of the switch 154.
[0026]  The transmission lines Rx are electrically coupled to a receiving terminal 114 of the setting unit 110  and the transmission terminals 127, 137, 147, and 157 of each display 120, 130, 140, and 150, respectively.  With such electrical coupling between the transmission terminal and the receiving terminal, the instructions or information can be transmitted.  A connection port complied with a common transmission protocol, such as a RS232 transmission line commonly used in the industry now, is employed by these two transmission lines Tx and Rx to communication  between the transmission terminals and the receiving terminals of the setting unit 110 and  displays.  However, the transmission lines complied with other transmission protocol also can be applied in the present invention as considering the real requirements.  As shown in FIG. 1, the transmission terminal and the receiving terminal of communication interface of the setting unit 110 are electrically coupled with the transmission terminal and the receiving terminal of the displays 120, 130, 140, and 150 via the RS232 communication interfaces 128, 138, 148, and 158, respectively.
[0027]    In addition, Transmission lines Tx coupled the output terminal 134B of a switch 134  to the receiving terminal 146 and the input terminal 144A of a switch 144. Transmission lines Tx coupled the output terminal 144B of a switch 144 to the receiving terminal 156 and the input terminal 154A of a switch 154.      In addition, a plurality of control lines 122A, 132A, 142A, and 152A are electrical coupling with the control terminals 125, 135, 145, and 155 of the microprocessors 122, 132, 142, and 152 respectively. The microprocessors 122, 132, 142, and 152 control the switch 124,134,144,154 turning on or turning off. Herein, the switch for example is an electronic switch, and all switches are connected to a power supply for the power required for the switching operation.
[0028]  For the sake of simplicity, in the ID configuration operation of the present embodiment, only the connection between the setting unit 110 and the displays 120 and 130 are described herein.  The configuration method for other displays composing the TV wall 100, such as the displays 140 and 150, are the same as it, thus its detail explanation is omitted here.
[0029]  Initially, all of the switches are all turned on by its corresponding displays. The setting unit 110 transmits a setting ID instruction through the transmission terminal 112 of the communication interface 116 and transmission lines TX to all display 120, 130, 140, 150.
[0030]  In the present embodiment, the switch 124 comprises a input terminal 124A and a output terminal 124B and control terminal 125, wherein the input terminal 124A is electrically coupled to the transmission terminal 112 of the setting unit 110, and is selectively coupled to the output terminal 124B.  The selective coupling/switching is controlled by the microprocessor 122 inside the display 120.  In addition, the switch 134 comprises a input terminal 134A and a output terminal 134B, wherein the input terminal 134A of the switch 134 is electrically coupled to the output terminal 124B of the first switch 124, and is selectively coupled to the output terminal 134B. Similarly, the selective coupling/switching is controlled by the microprocessor 132 inside the display 130.
[0031]  Referring to both FIG. 2A and 2B, schematic diagrams illustrating an operation mode of a first switch in the system for configuring a display ID according to an embodiment of the present invention is shown.  In the present embodiment, regardless of the number of the switches, the operation is same as the switch 124.  Therefore, only switch 124 is exemplified herein for explanation.  In the present embodiment, the input terminal 124A of the switch 124 is electrically coupled to the output terminal 124B as shown in FIG. 2A, and the input terminal 134A of the switch 13 is electrically coupled to the output terminal 134B.  In other words, the setting unit 110 can transmit information to all displays via the transmission lines Tx.  Specifically, the CPU 1102(central processing unit) of setting unit 110 transmits the ID information, such as the setting ID instruction, through communication interface to all displays via the transmission lines Tx from the transmission terminal 112 of the communication interface 116.  When each display is received the setting ID instructions, then all change to ID setting mode and control all switches turn off.
[0032]  After it had been switched to the ID configuration mode, the input terminal 124A and the output terminal 124B are not electrically coupled with each other any more due to the open circuit of the switch 124 as shown in FIG. 2A, and the input terminal 134A and the output terminal are not electrically coupled, either.  Meanwhile, since all switches are open circuit, that is the contact points inside the switches are not electrically contacted with each other, the display 120 can only receive the ID included in the ID information, and the ID is assigned to the display 120.  In an embodiment of the present invention, the ID can be stored in a memory 121 inside the display 120, and the memory 121 can be a non-volatile memory, such that the ID can be permanently preserved.
[0033]  In the present embodiment, the display 120 includes microprocessor 122, memory 121 and a communication interface 128 including a transmission terminal 127 and a receiving terminal 126.  The transmission terminal 127 is electrically coupled to the receiving terminal 114 of communication interface 116 of the setting unit 110 via transmission lines Rx.  The receiving terminal 126 is electrically coupled to the transmission terminal 112 of communication interface 116 of the setting unit 110.  At first, when the microprocessor 122 receives the setting ID instruction sent by the setting unit 110 from the receiving terminal 126 and the transmission lines Tx, a control signal is transmitted to the control terminal 125 of the switch 124 via the control line 122A so as to turn on the switch 124.  
[0034]   The microprocessor 122 assigns this ID to the memory 121 of the display 120 according to the transmitted ID information.  After the configuration is completed, a reply signal is issued from the microprocessor 122 through transmission terminal 127 and the operation mode is switched back to the normal operation mode.  Meanwhile, a control signal is transmitted to the control terminal 125 of the switch 124 via the control line 122A to turn on the switch 124.  In other words, the input terminal 124A and the output terminal 124B are electrically coupled with each other from its original non-connection status. And the first microprocessor 122 replies a signal indicating the setting is completed to the setting unit 110.
[0035]  According to an embodiment of the present embodiment, the microprocessor 132 inside the display 130 also comprises a transmission terminal 137 and a receiving terminal 136.  Wherein, the transmission terminal 137 is electrically coupled to the receiving terminal 114 of the setting unit 110 via the transmission lines Rx.  The receiving terminal 136 is electrically coupled to the transmission terminal 112 of the setting unit 110 via the switch 124.  
[0036]  After the setting unit 110 receives the signal sent by the microprocessor 122.   Next, setting unit 110 issues another ID information to display 130.
[0037]  The microprocessor 132 receives the ID information for the display 130.  More specifically, the microprocessor 132 assigns this ID for display 130 according to the received ID, for example, to save it in a memory 131 inside the display 130.  After the configuration is completed, a reply signal is issued from the microprocessor 132 through the communication interface 138 and the transmission terminal 137 to the setting unit 110, such that the operation mode is switched back to the normal operation mode.  Meanwhile, a control signal is transmitted to the control terminal 135 of the switch 134 via the control line 132A to turn on the switch 134 and in the meanwhile, the input terminal 134A and the output terminal 134B become electrically coupled with each other from their original non-connection status.
[0038]  Thus, for the two displays (other display can be so implemented described above) can be sequentially configured using the setting unit 110 via the communication interface 116 as well as the transmission lines Tx and Rx.  For example, the setting unit 110 configures the ID for the display 120 first, and then configures the ID for the display 130, and continues sequentially configuring the IDs for the displays 140, 150 and the remaining displays of the TV wall 100.  According to an embodiment of the present invention, the IDs are respectively stored in the memories 121,131,141,151 inside the displays.  By using the switches, it is possible to prevent the display other than the intended display from receiving the instruction.
[0039]  Referring to FIG. 3, a flow chart illustrating a method of configuring an ID for display according to an embodiment of the present invention is shown.
[0040]  According to an embodiment of the present embodiment, before configuring the displays, all switches are turned on  (step s302).  Next, all microprocessors receive the setting ID instruction from the setting unit (step s304).  Next, all displays change to ID setting mode and control all switches turn off (step s306).  The first display receives a first ID information from the setting unit (step s308).  The first ID  microprocessor stores the ID in a memory (step s310).  The first microprocessor quits the ID setting mode and back to normal operation mode (step s312).  Then, the first microprocessor issues a control signal to turn on the first switch (step s314).  The first microprocessor replies a signal indicating the setting is completed to the setting unit (step s316).
[0041]  After the setting unit had received the reply signal, the setting unit reissues the second ID information to the second display as shown in FIG. 1.  Accordingly, the setting unit sequentially configures the IDs for all displays until all the displays have been configured with respective IDs.
[0042]  In summary, the system, apparatus, and method configuring display ID provided by the present invention at least have following advantages.
(1) By applying the system, apparatus, and method of configuring the display ID according to the present invention, the time and labor consuming operation of repeatedly plugging in and unplugging of the connection cable connecting the setting unit and the connection port of each display via connection cable can be eliminated.
(2) The system, apparatus, and method of configuring the display ID according to the present invention allow the computer arbitrarily assign an ID to each of the displays and implement the update in a very efficient way.
[0043]  Although the invention has been described with reference to a particular embodiment thereof, it will be apparent to one of the ordinary skill in the art that modifications to the described embodiment may be made without departing from the spirit of the invention.  Accordingly, the scope of the invention will be defined by the attached claims not by the above detailed description.
BRIEF DESCRIPTION OF THE DRAWINGS
[0044]  The accompanying drawings are included to provide a further understanding of the invention, and are incorporated in and constitute a part of this specification.  The drawings illustrate embodiments of the invention, and together with the description, serve to explain the principles of the invention.
[0045]  FIG. 1 schematically shows a circuit block diagram of a setting unit in the system for configuring a display ID according to an embodiment of the present invention.
[0046]  FIG. 2A and 2B schematically show diagrams illustrating an operation mode of a first switch in the system for configuring a display ID according to an embodiment of the present invention.
[0047]  FIG. 3 schematically shows a flow chart illustrating a method of configuring a display ID according to an embodiment of the present invention.
1. An apparatus for a setting unit to configure ID to at least two displays, comprising:
at least a first switch and a second switch, the first switch comprising an input terminal, an output terminal and a control terminal, and the second switch comprising an input terminal and a control terminal, wherein the input terminal of the first switch is electrically coupled to a communication interface transmission terminal of the setting unit, and the output terminal of the first switch is electrically coupled to the input terminal of the second switch, wherein the control terminals of the first and second switches are adapted for receiving an control signal from the displays, and are turned on or turned off after said switch receives signal sent from the control terminal of the display; 
first transmission line, electrically coupled to the input terminal of the first switch, the receiving terminals of the display and a transmission terminal of the setting unit;
second transmission lines, electrically coupled to the output terminal of the first switch and the input terminal of the second switch and receiving terminals of the display; and
third transmission lines, electrically coupled to the transmission terminals of the displays and a communication interface receiving terminal of the setting unit.
2. The apparatus for configuring a display ID of claim 1, wherein the setting unit is a computer.
3. The apparatus for configuring a display ID of claim 1, wherein the communication interface receiving terminal and the transmission terminal of the display are a RS232 receiving terminal and a RS232 transmission terminal, respectively.
4. The apparatus for configuring a display ID of claim 1, wherein the communication interface of the setting unit are a RS232 receiving terminal and a RS232 transmission terminal, respectively.
5. A system for configuring a display ID, comprising:
a setting unit, comprising a transmission terminal and a receiving terminal;
at least two displays, each display comprising a control terminal, a microprocessor and a communication interface having a transmission terminal and a receiving terminal, wherein the microprocessor is electrically coupled to the transmission terminal, the receiving terminal, the control terminal, and a memory;
at least two switches, for accepting a control signal from the displays, and being turned on or turned off by receiving the control signal;
first transmission lines, electrically coupled to the input terminal of the first switch, the receiving terminals of the display and a transmission terminal of the setting unit;
second transmission lines, electrically coupled to the output terminal of the first switch and the input terminal of the second switch and receiving terminals of the display; and
third transmission lines, electrically coupled to the transmission terminals of the displays and a receiving terminal of the setting unit.
6. The system for configuring a display ID of claim 5, wherein the switches comprises at least a first switch and a second switch, wherein the first and second switches respectively comprises an input terminal, an output terminal and a control terminal, wherein the input terminal of the first switch is electrically coupled to a transmission terminal of the setting unit and the output terminal of the first switch is electrically coupled to the input terminal of the second switch, and wherein the control terminals are adapted to accept an control signal from the display to turn on or off the first and second switches upon receiving signal sent from the control terminals of the displays.
7. The system for configuring a display ID of claim 5, wherein the setting unit is a computer.
8. The system for configuring a display ID of claim 5, wherein the communication interface of each display are a RS232.
9. The system for configuring a display ID of claim 5, wherein the communication interface of the setting unit is a RS232.
10. A system for configuring a display ID, comprising:
a setting unit;
a plurality of displays, electrically coupled to the setting unit; and
a plurality of switches, configured in between the setting unit and the displays, each of the switches corresponding to one of the displays, and being turned on or turned off by its corresponding display, wherein when the setting unit issues a setting ID instruction, each of the switches is turned on by its corresponding display, and then the setting unit issues a plurality of identification configuration instructions, and wherein by sequentially turning off each of the switches, the corresponding ID of the corresponding display is configured by each of the ID configuration instructions.
11. The system for configuring a display ID of claim 10, wherein when the setting unit issues the ID configuration instructions, a subsequent ID configuration instruction is issued based on a reply signal sent by each of the configured displays.
12. The system for configuring a display ID of claim 10, wherein each of the displays is not electrically coupled to the setting unit until the ID configuration of a previous display is completed and a switch corresponding to the previous display had been turned off, and the setting unit issues the ID configuration instruction corresponding to the subsequent display only after a reply signal for indicating the configuration has been completed is received by the setting unit, so as to configure the ID for the subsequent display.
13. The system for configuring a display ID of claim 10, wherein the setting unit comprises a transmission terminal and a receiving terminal, which are electrically coupled to a receiving terminal and a transmission terminal of a microprocessor inside each of the displays via a first transmission lines and a second transmission lines, respectively, and the switches are configured on the first transmission lines.
14. The system for configuring a display ID of claim 10, wherein among the displays, the receiving terminal and the transmission terminal of a first display are electrically coupled to the transmission terminal and the receiving terminal of the setting unit via a first transmission lines and a second transmission lines, respectively, and the receiving terminal of a second display is electrically coupled to the transmission terminal of the setting unit via the first switching unit corresponding to the first display.
15. The system for configuring a display ID of claim 10, wherein each of the displays comprises a memory for storing the ID.
16. A method for configuring a display ID using an apparatus, the apparatus comprising at least a setting unit, a first display, a second display, a first switch and a second switch, the first display is electrically coupled to the setting unit, and the second display is electrically coupled to the setting unit via the first switch, and the method comprising:
turning on all switches;
all microprocessors receiving setting ID instruction from the setting unit;
all displays changing to ID setting mode and controlling all switches turn off;
first display receiving first ID information from the setting unit; 
first ID microprocessor storing the ID in a memory of the first display; 
first microprocessor quitting the ID setting mode and backing to normal operation mode; 
second display receiving second ID information from the setting unit;
second ID microprocessor storing the ID in a memory of the second display.
17. A method of claim 16, wherein after the first microprocessor quitting the ID setting mode and backing to normal operation mode, the first microprocessor issuing a signal to the setting unit.
A system, an apparatus and a method for configuring a display ID are provided.  The system comprises a setting unit, a plurality of displays and a plurality of switches.  Wherein, the displays are electrically coupled to the setting unit, and the switches are configured in between the setting unit and its corresponding display.  Each of the switches corresponds to one of the displays, and is turned on or turned off by its corresponding display.  When the setting unit issues a setting ID instruction, all of the switches is turned on by its corresponding display.  Thereafter, the setting unit issues a plurality of identification configuration instructions.  By sequentially turning off each of the switches, the ID of the corresponding display can be configured by each of the ID configuration instructions.
【FIG.1】
2005115367.tif 000007
【FIG.2A】
【FIG.2B】
2005115367.tif 000008